(57)【要約】【課題】空気調和機据付時のドレンホースの取り付け、水受け皿の取り外しが容易な空気調和機を提供する。【解決手段】排出口３ａを有すると共に熱交換器２からの水を受ける水受け皿３と、前記排出口３ａに着脱自在のドレンホース７と、前記ドレンホース７の前記排出口３ａ側端部若しくはその近傍に設けた突起７ａと、本体１に設けられ前記突起７ａを係止する被係止部１ｂとを備え、前記水受け皿３を前記本体１に着脱自在としたもので、ドレンホース７の突起７ａが被係止部１ｂに係止して、抜ける事が無く、また、水受け皿３を取り外す際には、水受け皿３引くだけでドレンホース７が排出口３ａから外すことができる。【選択図】図１
2005076949.tif 000002
【特許請求の範囲】
【請求項１】
熱交換器からの水を受けるとともにその水を排出するための排出口を有する水受け皿と、前記排出口に着脱自在のドレンホースと、前記ドレンホースの前記排出口側端部若しくはその近傍に設けた係止部と、本体に設けられ前記係止部を係止する被係止部とを備え、前記水受け皿を前記本体に着脱自在としたことを特徴とする空気調和機。
【請求項２】
係止部を回動させて被係止部に係止することを特徴とする請求項１記載の空気調和機。
【請求項３】
係止部の回動時にクリック感が得られるようにした請求項２記載の空気調和機。
【発明の詳細な説明】
【技術分野】
【０００１】
本発明は、空気調和機の室内ユニットに関するもので、特にドレンホース取付け構造に関するものである。
【背景技術】
【０００２】
従来の空気調和機の室内ユニットへのドレンホースの取り付け方法は、図５に示されるようなものが一般的であった。
【０００３】
図において、水受け皿１１の排出口１１ａの外周の一部に突起１１ｂを設け、前記排出口１１ａに接続されるドレンホース１２の端部には略Ｌ字状の溝１２ａが設けられ、前記突起１１ｂを、前記溝１２ａの入り口部１２ｂで誘い、その後、ドレンホース１２を溝１２ａに沿って回転させて、固定するようにしていた（例えば、特許文献１参照）。
【特許文献１】特開平５−１８５５４号公報
【発明の開示】
【発明が解決しようとする課題】
【０００４】
しかしながら、上記従来の構成では、空気調和機の室内ユニットの据付工事の際、配管と共にドレンホース１１が室外側に引っ張られた場合は、前記ドレンホース１１は抜けにくいが、空気調和機の据え付け後に、水受け皿１０のドレン処理に何らかの支障が生じた場合、 あるいは、点検・サービス時に、水受け皿１０とドレンホース１１を取り外す必要がある場合、水受け皿１０とドレンホース１１は確実に固定されており、しかも前記ドレンホース１１は化粧テープ等で室外からの配管とともに巻かれ、回転させることができないので、前記水受け皿１０だけを室内ユニットから取り外すことが困難となり、場合によっては配管（図示せず）とともに巻いた化粧テープを解きドレンホース１１と配管を分離した後、水受け皿を取り外す必要があった。
【０００５】
本発明は、上記課題を解決するもので、 水受け皿とドレンホースの取り付けが容易で、かつ水受け皿の取り外しが容易な空気調和機を提供する事を目的とするものである。
【課題を解決するための手段】
【０００６】
上記従来の課題を解決するために本発明は、熱交換器からの水を受けるとともにその水を排出するための排出口を有する水受け皿と、前記排出口に着脱自在のドレンホースと、前記ドレンホースの前記排出口側端部若しくはその近傍に設けた係止部と、本体に設けられ前記係止部を係止する被係止部とを備え、前記水受け皿を前記本体に着脱自在としたもので、空気調和機の据付工事時にドレンホースが本外外部へ引っ張られても、前記ドレンホースの係止部が本体に設けた被係止部に係止して、抜ける事が無く、また、水受け皿を取り外す際には、水受け皿の排出口とドレンホースは着脱自在なので、水受け皿を引くだけでドレンホースが排出口から外れ、本体から水受け皿を容易に取り外すことができ、保守、点検が容易にできるものである。
【発明の効果】
【０００７】
本発明の空気調和機は、水受け皿をドレンホースから簡単に取り外しができるので、点検、保守作業が容易でしかも速やかに行うことができる。
【発明を実施するための最良の形態】
【０００８】
第１の発明は、熱交換器からの水を受けるとともにその水を排出するための排出口を有する水受け皿と、前記排出口に着脱自在のドレンホースと、前記ドレンホースの前記排出口側端部若しくはその近傍に設けた係止部と、本体に設けられ前記係止部を係止する被係止部とを備え、前記水受け皿を前記本体に着脱自在としたもので、空気調和機の据付工事時にドレンホースが本外外部へ引っ張られても、前記ドレンホースの係止部が本体に設けた被係止部に係止して、抜ける事が無く、また、水受け皿を取り外す際には、水受け皿の排出口とドレンホースは着脱自在なので、水受け皿を引くだけで、排出口はドレンホースから簡単に外れ、水受け皿を容易に取り外すことができる。
【０００９】
第２の発明は、係止部を回動させて被係止部に係止するようにしたもので、ドレンホースに設けた係止部を回動させるだけで、本体に設けた被係止部に係止することができるので、取り付け作業が極めて容易でかつ短時間に行うことができるものである。
【００１０】
第３の発明は、係止部の回動時にクリック感が得られるようにしたもので、ドレンホースを排出口に取り付ける際、確実に取り付けられている様子が実感できると共に、本体の運転時に振動で排出口からドレンホースが外れる事も無い。
【００１１】
以下、本発明の実施の形態について、図１〜３を参照しながら説明する。なお、この実施の形態によって本発明が限定されるものではない。
【００１２】
（実施の形態１）
図１において、１は、本発明にかかる空気調和機の室内ユニット本体で、１ａは、空気調和機の風回路の一部並びに外郭の一部を構成する台枠である。台枠１ａに熱交換器２が取り付けられ、熱交換器２の下部には、熱交換器２から落ちる水を受ける水受け皿３と、風回路の一部を構成する吹き出しグリル４が前記台枠１ａに固定されている。
【００１３】
５は外郭の一部を構成する前面枠、６は外郭の一部を構成し、空気を吸い込む吸入グリルを示す。６ａは、吸入グリル６、熱交換器２を通して外気を取り入れ、熱交換された空気を吹き出しグリル４から排出するファンである。
【００１４】
７は、ドレンホースで、その一端は、水受け皿３に設けられドレン水を排出する排出口３ａに着脱自在に接続される。
【００１５】
ドレンホース７と排出口３ａとの取り付け部の詳細について、図２を用いて説明する。
【００１６】
排出口３ａに接続されるドレンホース７の排出口３ａ側の取り付け部の外周の一部に係止部となる突起７ａが設けられている。室内ユニット本体１の台枠１ａからは、前記ドレンホース７を前記排出口３ａに接続した後、回転させた位置で前記ドレンホース７の突起７ａを受け抱える被係止部となる凸形状部１ｂが設けられている。
【００１７】
上記構成による作用は以下の通りである。
【００１８】
ドレンホース７を排出口３ａに差し込んだ後、ドレンホース７を回転させて突起７ａを凸形状部１ｂに引っ掛ける様にして係止する。これにより、ドレンホース７が万一引っ張られても、突起７ａが凸形状部１ｂに引っ掛かりそれ以上後ろに移動できず、ドレンホース７の抜けが防止できる。また、水受け皿３を取り外すときは、水受け皿３を単に抜くだけで済むので、水受け皿３の取り外しが極めて容易である。
【００１９】
図３は、排出口３ａとドレンホース７との接続方法の他の例を示すもので、９は、ドレンホース８の端部に回動自在に取着されたリングで，そのリング９の外周の一部に突起９ａを形成したものである。また、リング９の内周面には、レール９ｂが設けられ、ドレンホース８の排出口３ａの取り付け口には、前記レール９ｂと対向する位置に溝８ａが設けられており、レール９ｂを前記溝８ｂに挿入してリング９をドレンホース８に係止する。
【００２０】
ドレンホース８を排出口３ａに接続する時，ドレンホース８を排出口３ａに差し込んだ後リング９を回転させて、突起９ａを凸形状部１ｂに引っ掛ける。
【００２１】
これにより、ドレンホース８が万一引っ張られても、レール９ｂが溝８ａに係合し、さらに突起９ａが凸形状部１ｂに引っ掛かりそれ以上後ろに移動できず、ドレンホース８の抜けが防止できる。また、水受け皿３を取り外すときは、水受け皿３を単に抜くだけで済むので、水受け皿３の取り外しが極めて容易である。
【００２２】
（第２の実施の形態）
以下に本発明の第２の実施の形態の空気調和機について図４を用いて説明する。なお、上記第１の実施の形態と同一部分については，同一符号，名称を用いてその説明を省略する。
【００２３】
本実施の形態は、図に示すように，リング９の内周に複数の第１の凹凸１０ａを設け，ドレンホース８の前記第１の凹凸１０ａと対応する位置に第２の凹凸１０ｂを設けたもので、リング９をドレンホース８に嵌合させると、上記第１の実施の形態と同様にレール部９ｂが溝８ｂに嵌合して、リング９がドレンホース８の長手方向において位置決めされるが、ドレンホース８の周方向では，リング９の内周に設けた第１の凹凸１０ａとドレンホース８の外周に設けた第２の凹凸１０ｂが噛み合い、リング９を回動させると、クリック感が得られるとともに、ドレンホース９を排出口３ａに取り付ける際、確実に取り付けられている様子が実感できると共に、本体の運転時に振動で排出口３ａからドレンホース８が外れる事が無い。
【産業上の利用可能性】
【００２４】
以上のように、本発明にかかる空気調和機は、水受け皿とドレンホースの取り付け、取り外しが容易で、しかもドレンホースが引っ張られても、簡単に外れないので、水受け皿とそれに接続されたホースを用いた各種機器に応用することが可能である。
【図面の簡単な説明】
【００２５】
【図１】本発明の第１の実施形態を示す空気調和機の室内ユニットの断面図
【図２】同空気調和機の水受け皿の排出口とドレンホースとの接続状況を示す斜視図
【図３】水受け皿とドレンホースとの他の接続方法の例を示す部分斜視図
【図４】本発明の第２の実施の形態を示す空気調和機のドレンホース端部の斜視図
【図５】従来の空気調和機の水受け皿とドレンホースの取り付け構造図
【符号の説明】
【００２６】
１    室内ユニット本体
１ａ    台枠
１ｂ    凸形状部（被係止部）
２    熱交換器
３    水受け皿
３ａ    排出口
７    ドレンホース
７ａ    突起(係止部)
８    ドレンホース
９    リング
９ａ    突起
【図１】
2005076949.tif 000003
【図２】
2005076949.tif 000004
【図３】
2005076949.tif 000005
【図４】
2005076949.tif 000006
【図５】
2005076949.tif 000007